(57)【要約】【課題】ユーザ宛の郵便物の配送方法を、ユーザ自身で指定可能とする。【解決手段】管理サーバが、ユーザの氏名およびＥメールアドレスを含む前記ユーザに関する情報と、ユーザ宛の郵便物に関する郵便情報と、ユーザ宛の郵便物に関する郵送情報とを関連付けて記憶する記憶部を有し、郵便局のクライアントが、インターネットを関して管理サーバの記憶部を閲覧する手段と、ユーザ宛の郵便物に関する郵便情報を、管理サーバ内の記憶部に登録する手段と、ユーザ宛の郵便物に関する郵便情報を、Ｅメールアドレス宛に通知する手段とを有し、ユーザのクライアントは、インターネットを関して管理サーバの記憶部を閲覧する手段と、ユーザに関する情報を、管理サーバ内の記憶部に登録する手段と、ユーザ宛の郵便物に関する郵送情報を、管理サーバ内の前記記憶部に登録する手段とを有する。【選択図】図３
2007213387.tif 000002
【特許請求の範囲】
【請求項１】
ユーザのクライアントと、郵便局のクライアントとが、インターネットを介して管理サーバに接続された郵送物配送指定システムであって、
前記管理サーバは、前記ユーザの氏名およびＥメールアドレスを含む前記ユーザに関する情報と、前記ユーザ宛の郵便物に関する郵便情報と、前記ユーザ宛の郵便物に関する郵送情報とを関連付けて記憶する記憶部を有し、
前記郵便局のクライアントは、前記インターネットを関して前記管理サーバの前記記憶部を閲覧する手段と、
前記ユーザ宛の郵便物に関する郵便情報を、前記管理サーバ内の前記記憶部に登録する手段と、
前記ユーザ宛の郵便物に関する郵便情報を、前記Ｅメールアドレス宛に通知する手段とを有し、
前記ユーザのクライアントは、前記インターネットを関して前記管理サーバの前記記憶部を閲覧する手段と、
前記ユーザに関する情報を、前記管理サーバ内の前記記憶部に登録する手段と、
前記ユーザ宛の郵便物に関する郵送情報を、前記管理サーバ内の前記記憶部に登録する手段とを有することを特徴とする郵送物配送指定システム。
【請求項２】
前記ユーザのクライアントは、パーソナルコンピュータ、あるいは、携帯電話機であり、
前記郵便局のクライアントは、パーソナルコンピュータであることを特徴とする請求項１に記載の郵送物配送指定システム。
【発明の詳細な説明】
【技術分野】
【０００１】
本発明は、郵送物配送指定システムに係り、特に、管理サーバに登録された、ユーザ宛の郵送物に関する情報を、ユーザが閲覧し、ユーザが配送方法を指定可能とした郵送物配送指定システムに関する。
【背景技術】
【０００２】
従来、ユーザ宛の郵便物は、無条件にユーザの自宅へ届けられる。あるいは、郵パックであれば、配達時に不在であれば不在票により、配達日時を指定できる方法が知られている。
【発明の開示】
【発明が解決しようとする課題】
【０００３】
このように、従来の郵便物の配送方法は、受取側の郵便物要否に関わらず、無条件にユーザの自宅へ届けられるという問題点があった。
本発明は、前記従来技術の問題点を解決するためになされたものであり、本発明の目的は、郵送物配送指定システムにおいて、ユーザ宛の郵便物の配送方法を、ユーザ自身が指定可能とする技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、ユーザのクライアント（例えば、パーソナルコンピュータ、あるいは、携帯電話機）と、郵便局のクライアント（例えば、パーソナルコンピュータ）とが、インターネットを介して管理サーバに接続された郵送物配送指定システムであって、前記管理サーバは、前記ユーザの氏名およびＥメールアドレスを含む前記ユーザに関する情報と、前記ユーザ宛の郵便物に関する郵便情報と、前記ユーザ宛の郵便物に関する郵送情報とを関連付けて記憶する記憶部を有し、前記郵便局のクライアントは、前記インターネットを関して前記管理サーバの前記記憶部を閲覧する手段と、前記ユーザ宛の郵便物に関する郵便情報を、前記管理サーバ内の前記記憶部に登録する手段と、前記ユーザ宛の郵便物に関する郵便情報を、前記Ｅメールアドレス宛に通知する手段とを有し、前記ユーザのクライアントは、前記インターネットを関して前記管理サーバの前記記憶部を閲覧する手段と、前記ユーザに関する情報を、前記管理サーバ内の前記記憶部に登録する手段と、前記ユーザ宛の郵便物に関する郵送情報を、前記管理サーバ内の前記記憶部に登録する手段とを有することを特徴とする。
【発明の効果】
【０００５】
本願において開示される発明のうち代表的なものによって得られる効果を簡単に説明すれば、下記の通りである。
本発明の郵送物配送指定システムによれば、ユーザ宛の郵便物の配送方法を、ユーザ自身で指定することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の郵送物配送指定システムの概略構成を示すブロック図である。
図１において、１００は、一般ユーザあるいは郵便局のクライアント、１２０はインターネット回線、１１０は管理サーバである。
一般ユーザのクライアント１００は、例えば、パーソナルコンピュータ（Personal Computer）、あるいは、携帯電話機であり、郵便局のクライアント１００は、例えば、パーソナルコンピュータである。
クライアント１００は、クライアントの主記憶装置１０１と、データを表示するコンソール１０２と、データを入力するキーボード１０３と、データ入力位置等を決めるマウス１０４と、インターネット通信を可能とするインターネットツール１０５と、ＰＣ電源部１０６とで構成される。
管理サーバ１１０は、各クライアントとの間での接続を可能とする通信装置１１１と、サーバの主記憶装置１１２と、プログラムを実行する処理装置１１３と、郵送物配送指定情報を格納する郵送物配送テーブル２００と、サーバ電源部１１４とで構成される。
【０００７】
図２は、図１に示す郵送物配送テーブルのフォーマットを示す図である。
図２において、２００は郵送物配送テーブル、２０１はユーザの郵便番号、２０２はユーザの住所、２０３はユーザの氏名、２０４はユーザの電話番号、２０５は郵便区分、２０６は郵送区分、２０７はユーザのＥメールアドレスである。
ここで、郵便区分２０５は、例えば、はがき、速達、手紙、あるいは、郵パックなどの情報であり、郵送区分２０６は、例えば、日時指定、通常配達、あるいは、配達拒否の情報である。
本実施例では、予め、ユーザが、本郵送物配送指定システムに登録し、管理サーバ１１０の郵送物配送テーブル２００の２０１〜２０４、２０７に、それぞれ、ユーザの郵便番号２０１、ユーザの住所２０２、ユーザの氏名２０３、ユーザの電話番号２０４、およびユーザのＥメールアドレス２０７を登録しておく。
【０００８】
図３、図４は、本実施例の郵送物配送指定システムの処理手順を示すフローチャートである。以下、図３、図４を用いて、本実施例の郵送物配送指定システムの処理手順について説明する。
始めに、ユーザ宛の郵便物を受け付けた郵便局は、郵便局のクライアント１００を使用し、インターネット回線１２０を介して管理サーバ１１０へアクセスする。
管理サーバ１１０は、クライアント１００から入力された会員番号を判定する（ステップ３００，ステップ３０１）。なお、この会員番号の判定には、従来のユーザ認証技術（例えば、パスワードなど）を使用する。
次に、判定した会員番号が、郵便局のクライアント１００の会員番号であるので、前記ユーザ宛の郵便物を受け付けた郵便局のクライアント１００から送信された、前記ユーザ宛の郵便物に関する郵便情報（例えば、はがき、速達、手紙、あるいは、郵パックなど）を、郵送物配送テーブル２００の２０５に格納する（ステップ３０７〜３０９）。
なお、ユーザ宛の郵便物に関する郵便情報は、同じ差出人による手紙などを区別するために、受付日時、あるいは、通し番号の情報を有している。
その後、前記ユーザ宛の郵便物を受け付けた郵便局のクライアント１００は、前記ユーザ宛の郵便物に関する郵便情報を、管理サーバ１１０の郵送物配送テーブル２００の２０７に格納されているＥメールアドレス宛に通知する（ステップ３１０）。
【０００９】
郵便局のクライアント１００から、郵便物に関する郵便情報が通知されたユーザは、ユーザのクライアント１００を使用し、インターネット回線１２０を介して管理サーバ１１０へアクセスする。
管理サーバ１１０は、クライアント１００から入力された会員番号を判定する（ステップ３００〜３０１）。なお、この会員番号の判定には、従来のユーザ認証技術（例えば、パスワードなど）を使用する。
次に、判定した会員番号がユーザのクライアント１００の会員番号であるので、当該ユーザ宛の郵便情報を、ユーザのクライアント１００のコンソール１０２に表示させる（ステップ３０２）。
次に、ユーザは、ユーザのクライアント１００のコンソール１０２に郵送物の配送方法を指定する郵送物配送指定情報入力画面を表示させ（ステップ３０３）、ユーザのクライアント１００のキーボード１０３、マウス１０４を使用し、コンソール１０２に表示された郵便情報に対して、郵送区分（例えば、日時指定、通常配達、あるいは、配達拒否等）を入力し、管理サーバ１１０の郵送物配送テーブル２００の２０６に格納する（ステップ３０３〜ステップ３０６）。
【００１０】
また、郵便局では、郵便局のクライアント１００を使用し、インターネット回線１２０を介して管理サーバ１１０へアクセスして、郵送物配送テーブル２００を参照し、自郵便局で管轄する住所のユーザの郵送区分（２０６）を取得する。
そして、自郵便局で管轄する住所のユーザ宛の郵便物を、郵送物配送テーブル２００の郵送区分（２０６）に指定された方法、例えば、日時指定および通常配達指定に対しては、そのユーザ宛に配送し、また、配達拒否指定に対しては、当該郵便物を発送元へ返却する。
このように、本実施例の郵送物配送指定システムでは、ユーザ宛の郵送物に関する情報を、郵便局側で、管理サーバ１１０の郵送物配送テーブル２００に登録し、Ｅメールアドレス宛に通知する。
また、ユーザは、管理サーバ１１０の郵送物配送テーブル２００内の、ユーザ宛の郵送物に関する情報を閲覧し、さらに、ユーザ宛の郵便物の配送方法をユーザ自身で指定する。
そして、郵便局は、管理サーバ１１０の郵送物配送テーブル２００を閲覧して、当該ユーザ宛の郵便物の配送方法を決定するようにしたので、郵便物の送信先に応じた郵便物の配送方法を決定することができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１１】
【図１】本発明の実施例の郵送物配送指定システムの概略構成を示すブロック図である。
【図２】図１に示す郵送物配送テーブルのフォーマットを示す図である。
【図３】本発明の実施例の郵送物配送指定システムの処理手順を示すフローチャートである。
【図４】本発明の実施例の郵送物配送指定システムの処理手順を示すフローチャートである。
【符号の説明】
【００１２】
１００  クライアント（パーソナルコンピュータ（Personal Computer）／携帯電話器）
１０１  主記憶装置
１０２  コンソール
１０３  キーボード
１０４  マウス
１０５  インターネットツール
１０６  ＰＣ電源部
１１０  管理サーバ
１１１  通信装置
１１２  サーバ主記憶装置
１１３  処理装置
１１４  サーバ電源部
１２０  インターネット回線
２００  郵送物配送テーブル
２０１  ユーザの郵便番号
２０２  ユーザの住所
２０３  ユーザの氏名
２０４  ユーザの電話番号
２０５  郵便区分（はがき、速達、手紙、郵パック）
２０６  郵送区分（日時指定、通常配達指定、配達拒否指定）
２０７  ユーザのＥメールアドレス
【図１】
2007213387.tif 000003
【図２】
2007213387.tif 000004
【図３】
2007213387.tif 000005
【図４】
2007213387.tif 000006